(57)【要約】【課題】防塵・防水性を有する信頼性の高い多方向操作スイッチを提供。【解決手段】四方向スイッチ１０のケース体はモールド枠１、カバーシート８、ベースシート２、ＰＣＢ３を互いに接合して成る。このスイッチ１０の操作体である八角形のプランジャー４の軸部４ａはモールド枠１の上部開口１ａから突出し、下面中心に凸部４ｃが設けられているフランジ部４ｂは、カバーシート８上のモールド枠１内に収納されている。略正方形のＰＣＢ３の上面には中央接点及びその周囲に環状接点が形成され、環状接点の外側には中央接点の中心から等距離・等間隔に四つの外周接点が形成されており、それぞれ二対の側面半スルーホールに導通している。ドームバネ６の外周下端が環状接点上に当接している。各外周接点上に臨む可動接点部を有する外周が略八角形で内周が円形のステンレスの薄板から成る外バネ５がド−ムバネ６の外側に配設されている。【選択図】      図３
2004207026.tif 000002
【特許請求の範囲】
【請求項１】
上方開口を有する箱形で、その底面に中央接点及びこの中央接点から所定の間隔をあけて配された外側接点を備えると共に、前記中央接点から前記外側接点までの距離を半径とする円よりも外方に等距離・等間隔に複数個の外周接点が配された樹脂製のケース体と、前記中央接点に中央頂点部の下面が対向するように、前記外側接点上に外周下端部が載置された弾性金属板製の円形ドーム状可動接点と、前記ケースの上方開口から突出した軸部の下端に一体形成されたフランジ部が、回転はしないが前記軸部の傾倒操作及び上下動操作が可能であるように前記ケース内に収納され、前記軸部と同一中心線上で前記フランジ部の下面中心に設けられた凸部が前記円形ドーム状可動接点の中央頂点部に支持され、通常状態において、前記円形ドーム状可動接点の上方への付勢力を受けて、少なくとも前記フランジ部の上面外周が前記ケース体の上板下面に当接状態になるように配されると共に、前記軸部を下方に押圧操作した際に、前記フランジ部下面の前記凸部が前記円形ドーム状可動接点を押圧・反転させて、前記中心固定接点と前記外側固定接点との間を導通させる操作体とからなる多方向操作スイッチにおいて、前記ケース体は下方開口を有し、この下方開口を塞ぐように枠体を介してプリント配線基板を接合して成り、このプリント配線基板上面に前記中央接点、前記外側接点、前記外周接点を配設すると共に、隣り合う前記各外周接点同士を導通させるための可動接点部を備えた弾性金属薄板から成る外周導通板バネを配設し、この外周導通板バネと前記円形ドーム状可動接点とを覆うカバーシートを前記枠体の上面に接合したことを特徴とする多方向操作スイッチ。
【請求項２】
前記プリント配線基板の側面に前記外周接点と導通する半スルーホール並びに前記中央接点及び前記外側接点の各々が導通する半スルーホールを形成したことを特徴とする請求項１記載の多方向操作スイッチ。
【請求項３】
前記上方開口及び下方開口が八角形のケースに、前記開口と相似形に形成された操作体のフランジ部が収容されていることを特徴とする請求項１又は請求項２記載の多方向操作スイッチ。
【請求項４】
前記外周導通板バネには、中心から等距離・等間隔に八つの可動接点部を備えたことを特徴とする請求項１乃至請求項３のいずれかに記載の多方向操作スイッチ。
【請求項５】
前記プリント配線基板には四つの前記外側接点を配設したことを特徴とする請求項４記載の多方向操作スイッチ。
【請求項６】
前記プリント配線基板には八つの前記外側接点を配設したことを特徴とする請求項４記載の多方向操作スイッチ。
【発明の詳細な説明】
【０００１】
【発明の属する技術分野】
本発明は、携帯電話、ポータブルＣＤ、ビデオカメラ、デジタルカメラ等の操作用に組み込まれる多方向操作スイッチに関する。
【０００２】
【従来の技術】
従来、例えばケース体に弾性金属薄板より成る円形ドーム状可動接点を外側接点に当接状態に装着し、この上方に配された導通性のフランジを持ち軸体をケース体の上方開口から突出させた操作体を有し、これを中央押し圧の操作をして中央接点を導通、またフランジを傾倒操作して外周接点を導通する多方向操作スイッチがあった（例えば、特許文献１、特許文献２参照。）。
【０００３】
【特許文献１】
特許公開２０００−０３５３１９号公報
【特許文献２】
特許公開２００１−３５３４５５号公報
【０００４】
【発明が解決しようとする課題】
しかしながら、既に出願されている上記製品は、スイッチを操作するフランジ部に導通体がある構造のために、スイッチの最も重要な接点部が露出していて上方開口から異物が侵入し易くスイッチの導通不具合が生じる。また、組み込み時でも異物を巻き込みやすい構造体で製造上管理が困難であり量産性はよくない。
【０００５】
上記発明は、このような従来の問題を解決するためになされたものであり、その目的は、防塵・防水性を有する信頼性の高い多方向操作スイッチを提供することである。
【０００６】
【課題を解決するための手段】
上記目的を達成するための本発明の手段は、上方開口を有する箱形で、その底面に中央接点及びこの中央接点から所定の間隔をあけて配された外側接点を備えると共に、前記中央接点から前記外側接点までの距離を半径とする円よりも外方に等距離・等間隔に複数個の外周接点が配された樹脂製のケース体と、前記中央接点に中央頂点部の下面が対向するように、前記外側接点上に外周下端部が載置された弾性金属板製の円形ドーム状可動接点と、前記ケースの上方開口から突出した軸部の下端に一体形成されたフランジ部が、回転はしないが前記軸部の傾倒操作及び上下動操作が可能であるように前記ケース内に収納され、前記軸部と同一中心線上で前記フランジ部の下面中心に設けられた凸部が前記円形ドーム状可動接点の中央頂点部に支持され、通常状態において、前記円形ドーム状可動接点の上方への付勢力を受けて、少なくとも前記フランジ部の上面外周が前記ケース体の上板下面に当接状態になるように配されると共に、前記軸部を下方に押圧操作した際に、前記フランジ部下面の前記凸部が前記円形ドーム状可動接点を押圧・反転させて、前記中心固定接点と前記外側固定接点との間を導通させる操作体とからなる多方向操作スイッチにおいて、前記ケース体は下方開口を有し、この下方開口を塞ぐように枠体を介してプリント配線基板を接合して成り、このプリント配線基板上面に前記中央接点、前記外側接点、前記外周接点を配設すると共に、隣り合う前記各外周接点同士を導通させるための可動接点部を備えた弾性金属薄板から成る外周導通板バネを配設し、この外周導通板バネと前記円形ドーム状可動接点とを覆うカバーシートを前記枠体の上面に接合したことを特徴とする。
【０００７】
また、前記プリント配線基板の側面に前記外周接点と導通する半スルーホール並びに前記中央接点及び前記外側接点の各々が導通する半スルーホールを形成したことを特徴とする。
【０００８】
また、前記上方開口及び下方開口が八角形のケースに、前記開口と相似形に形成された操作体のフランジ部が収容されていることを特徴とする。
【０００９】
また、前記外周導通板バネには、中心から等距離・等間隔に八つの可動接点部を備えたことを特徴とする。
【００１０】
また、前記プリント配線基板には四つの前記外側接点を配設したことを特徴とする。
【００１１】
また、前記プリント配線基板には八つの前記外側接点を配設したことを特徴とする。
【００１２】
【発明の実施の形態】
以下、本発明の実施の形態を図面に基づいて詳細に説明する。図１は本発明の第一の実施の形態である四方向操作スイッチの斜視図、図２はこのスイッチの縦断面を示す断面図、図３は図２のＡ−Ａから下を見た平面図、図４は図３のＢ−Ｂ断面を示す断面図、図５は回路基板の上面図、図６は同じく下面図である。
【００１３】
まず、本発明の第一の実施の形態のである四方向操作スイッチの構成について説明する。図１〜図３において、１０は多方向操作スイッチである四方向スイッチである。１は、八角形の上方開口１ａ、下方開口１ｂが設けられたポリフタルアミド樹脂成形品である上方視略八角形のモールド枠である。２は、モールド枠１の下端周縁部に沿って接合されたポリイミド樹脂から成る枠体であるベースシートであり、３は、ベースシート２の下面に接合されたガラスエポキシ樹脂から成る両面プリント配線基板（以下ＰＣＢと略記する）である。モールド枠１、ベースシート２、ＰＣＢ３で四方向スイッチ１０のケース体を構成している。
【００１４】
４は、八角形の軸部４ａとその下端に八角形のフランジ部４ｂとがポリフタルアミド樹脂で一体に形成されて成るこのスイッチの操作体であるプランジャーである。フランジ部４ｂの下面中心には押圧用の球面をもった凸部４ｃが設けられている。軸部４ａをモールド枠１の上方開口１ａの回りに所定の隙間をもって上方に突出させて、上面視八角形であるモールド枠１の下方開口１ｂの中に、それと相似形の八角形に形成されたフランジ部４ｂが収容されており、モールド枠１内でプランジャー４は回転せずに所定の位置関係を保ちながら、図１に矢印で示した四方向へ傾倒することができる。
【００１５】
図２、図３において、５は外周は略八角形で内周は円形の弾性金属であるステンレスの薄板から成る外周導通用板バネ（以下外バネと略記する）であり、ベースシート２の内側のＰＣＢ３の上に配設されている。６は弾性金属であるステンレスの薄板から成る円形ドーム状可動接点（以下ドームバネと略記する）であり、７はドームバネ６の外周を外バネ５または外バネ５の内側のＰＣＢ３上に接着している片面粘着剤付きテフロン（登録商標）粘着シートである。ドームバネ６を形成しているステンレスの薄板の枚数は荷重調整のために１枚〜３枚の中から選択される。８は、モールド枠１とベースシート２との間に接合されたポリイミド樹脂から成るカバーシートであり、カバーシート８は接着シートを介してモールド枠１に接着させている。カバーシート８は外バネ５とドームバネ６とを覆っており、両バネのバネ性に影響のないように、薄いポリイミドシートを熱成形して形成している。
【００１６】
図３、図４により、外バネ５の細部を説明する。外バネ５の略八角形の外周から切り起こされて先端に湾曲部を有する八つの可動接点部５ａ、５ｂ、５ｃ、５ｄ、５ｅ、５ｆ、５ｇ、５ｈが、各辺のほぼ中央に対応する位置に形成されている。
【００１７】
次に、図５、図６によりＰＣＢ３の細部について説明する。ＰＣＢ３の対向する２辺の側面には三対の半スルーホール３ａ、３ｂ、３ｃ、３ｄ、３ｊ、３ｋが形成されている。上面に形成された配線パターンにより、中央には中央接点３ｍが、その周囲には中央接点３ｍから所定の間隔をあけて配された外側接点である環状接点３ｎが形成されている。ドームバネ６は中央接点３ｍに中央頂点６ａの下面が対向するように、外周下端部６ｂが環状接点３ｎ上に当接するように配設されている。また、環状接点３ｎの外側には中央接点３ｍの中心から等距離・等間隔に四つの外周接点３ｐ、３ｑ、３ｒ、３ｓが形成されており、それぞれ二対の半スルーホール３ａ、３ｂ、３ｃ、３ｄに導通している。
【００１８】
ＰＣＢ３下面には、配線パターンにより各半スルーホールを含むように外部導出用の端子電極が形成されている。半スルーホール３ｊの端子電極はスルーホール３ｘを介して上面の中央接点３ｍと導通している。また、半スルーホール３ｋの端子電極はスルーホール３ｙを介して上面の環状接点３ｎと導通している。スルーホール３ｘ、３ｙはシルク印刷による絶縁カバー３ｚにより蓋をされている。
【００１９】
次に、この四方向スイッチ１０の動作について説明する。まず、プランジャー４の軸部４ａに操作力を加えていない図２に示す通常状態においては、ドームバネ６は、その付勢力でカバーシート８を介して中央突起４ｃを突き上げて、フランジ部４ｂがモールド枠の上板面に当接状態に維持されて軸部４ａは垂直中立状態を保っており、本スイッチのいずれの接点の間も開状態、つまりオフの状態となっている。軸部４ａが中立位置を保つことができるようになっている。
【００２０】
そして、プランジャー４に対して、ＰＣＢ３に配された任意の隣接する二つの外周接点の間、例えば３ｐと３ｒとの間の位置を押し下げるように押圧力を加えると、プランジャー４は、その押圧力を加えた位置とは反対側のフランジ部４ｂの上端部が支点となってなって傾倒し、凸部４ｃがドームバネ６を押圧・反転させて節度を生じると同時に、押圧力を加えた方のフランジ部４ｂがカバーシート８を介して外バネ５の可動接点部５ａと５ｂとを押し下げて外周接点３ｐと３ｒとに接触して半スルーホール３ａと３ｃとの各々の外部導出用の端子電極を導通させる。
【００２１】
このときに、八角形に形成されたプランジャー４のフランジ部４ｂは、それよりも少し大きい上面視八角形に形成されたモールド枠１の下方開口４ｂの中に収容されているため、プランジャー４の回転を防止できて外周接点３ｐと３ｒとの間を確実にオン状態に、すなわち所定の隣接する二つの周辺スイッチ接点同士をオン状態にできる。因みに、外周接点３ｐと３ｒとの間の位置を押し下げると外バネ５の可動接点部５ｅも押し下げられるが、外周接点３ｐと３ｒの中間に外周接点はないので可動接点部５ｅはどこにも導通しない。
【００２２】
この後、プランジャー４に加えていた押し下げ力を除くと、ドームバネ６は元の形状に復元し、凸部４ｃに加わるドームバネ６の弾性復元力及び外バネ５の可動接点部５ａと５ｂと５ｅとの弾性復元力によって、プランジャー４は押し上げられて、可動接点部５ａと５ｂとの下面が外周接点３ｐと３ｒとから離れ、半スルーホール３ａと３ｃとの端子電極の間がオフ状態になると共に、プランジャー４が垂直中立状態である図２に示す通常状態に戻る。
【００２３】
そして、プランジャー４に対して同様に、隣接する任意の二つの外周接点の間を押し下げると、それぞれにプランジャー４が傾倒して対応する周辺スイッチ接点がオン状態となり、それに応じた半スルーホール３ｃと３ｂ、３ｂと３ｄ、３ｄと３ａの導出用の端子電極間を導通させることができる。そして、このようにして外周接点間が導通して伝達される信号を、外部導出用の端子間に接続されたスイッチング認識手段で読みとって判別することより、軸部４ａが上記隣接する任意の二つの周辺スイッチ接点の中間方向に傾倒させられたことを認識できる。
【００２４】
次に、プランジャー４の中央上面すなわち軸部４ａに下方に向かう垂直な押圧力を加えると、プランジャー４は垂直下方に移動し、それに伴って凸部４ｃがドームバネ６を押圧・反転させて節度を生じると同時にドームバネ６の中央頂点部６ａの下面と中央接点３ｍとが接触し、中央接点３ｍと環状接点３ｎとはドームバネ６を介して導通し、中央接点３ｍから導出された半スルーホール３ｊの外部導出用の端子電極と環状接点３ｎから導出された半スルーホール３ｋの外部導出用の端子電極とが導通状態となる。
【００２５】
このとき、フランジ部４ｂ下面と外周接点３ｐ、３ｑ、３ｒ、３ｓは一定の距離を保って離れているため、外周接点３ｐ、３ｑ、３ｒ、３ｓ同士は導通することはない。そして、プランジャー４への押し下げ力を除くと、ドームバネ６は元の形状に復元し、その復元力によってプランジャー４は押し上げられて図２に示す通常状態に戻る。
【００２６】
次に、本実施の第一の形態である多方向操作スイッチの効果について説明する。以上のように、この四方向スイッチは傾倒操作及び押圧操作に伴う所定の信号を得ることができるものであるため、使用される電子機器において、例えば傾倒操作で得られる信号によって電子機器の表示部に表示されたカーソル等を移動させて所定項目の選択を行い、押圧操作で得られる信号によってそれを確定する等を容易に行うことができるものである。
【００２７】
さらに、プランジャー４の軸部４ａを斜めに傾倒させて隣接する二つの固定接点をオン状態にする際、並びに軸部４ａを垂直下方へ押し下げて中央接点３ｍと環状接点３ｎとの間を導通させる際の節度感を、モールド枠１内に装着された一つのドームバネ６によって得ることができる構成であるため、構成部品が少なくて済むと共に、操作フィーリング・操作性に優れ、確実で安定したスイッチングを行うことができる小型・薄型の多方向スイッチを安価に実現できるものである。
【００２８】
また、接点部をカバーシート８で覆っていること、そしてＰＣＢ３のスルーホール３ｘ、３ｙを絶縁カバース３ｚで覆っていることで、スイッチ外部から塵埃が接点部に侵入するのを防いで、スイッチ操作の信頼性を保つことができる。
【００２９】
次に、本発明の第二の実施の形態について説明する。図７は本発明の第二の実施の形態である八方向スイッチの斜視図、図８はこの八方向スイッチのＰＣＢの上面図、図９は同じく下面図である。
【００３０】
まず、この八方向スイッチの構成について説明する。この八方向スイッチの構成は第一の実施の形態である四方向スイッチと比較して、ＰＣＢが異なるだけであるから、他の構成要素には第一の実施の形態と同じ符号と名称とを用いて詳細な説明は省略する。図８、図９において、２０は八方向スイッチであり、１３はこのスイッチ２０のケース体を構成するＰＣＢである。このＰＣＢ１３の対向する２辺の側面には五対の半スルーホール１３ａ、１３ｂ、１３ｃ、１３ｄ、１３ｅ、１３ｆ、１３ｇ、１３ｈ、１３ｊ、１３ｋが形成されている。ＰＣＢ１３上面に形成された配線パターンにより、中央には中央接点１３ｍが、その周囲には環状接点１３ｎが形成されている。
【００３１】
ドームバネ６は中央接点１３ｍに中央頂点６ａの下面が対向するように、外周下端部６ｂが環状接点１３ｎ上に当接するように載置されている。また、環状接点１３ｎの外側には中央接点１３ｍの中心から等距離・等間隔に八つの外周接点１３ｐ、１３ｑ、１３ｒ、１３ｓ、１３ｔ、１３ｕ、１３ｖ、１３ｗが形成されており、それぞれ四対の半スルーホール３ａ、３ｂ、３ｃ、３ｄ、１３ｅ、１３ｆ、１３ｇ、１３ｈに導通している。
【００３２】
ＰＣＢ１３下面には、配線パターンにより各半スルーホールを含むように外部導出用の端子電極が形成されている。半スルーホール１３ｊの端子電極はスルーホール１３ｘを介して上面の中央接点１３ｍと導通している。また、半スルーホール１３ｋの端子電極はスルーホール１３ｙを介して上面の環状接点１３ｎと導通している。スルーホール１３ｘ、１３ｙは絶縁カバー１３ｚによりカバーされている。
【００３３】
次に、この八方向操作スイッチ２０の動作について説明する。プランジャー４に対して、ＰＣＢ１３に配された任意の一つの外周接点、例えば１３ｐの位置を押し下げるように押圧力を加えると、プランジャー４は、その押圧力を加えた位置とは反対側のフランジ部４ｂの上端部が支点となってなって傾倒し、凸部４ｃがドームバネ６を押圧・反転させて節度を生じると同時に、押圧力を加えた方のフランジ部４ｂがカバーシート８を介して外周接点１３ｐに対応する外バネ５の可動接点部５ａ並びにこれと隣り合う可動接点部５ｈと５ｅとを押し下げて、それぞれ外周接点１３ｐ、１３ｗと１３ｒとに接触するので、外バネ５を介して半スルーホール１３ａと１３ｈと１３ｃとの各々の外部導出用の端子電極同士を導通させる。これによって、半スルーホール１３ｈと１３ｃとの端子電極間に接続してあるスイッチング認識手段をオンにする。なお、半スルーホール１３ａの端子電極は、半スルーホール１３ｆと１３ｅとの各々の端子電極間に各々別個のスイッチング認識手段を接続してあり、半スルーホール１３ｆと１３ｅとの端子電極は外周接点１３ｕと１３ｔとにおいてそれぞれ開放されているので、これらのスイッチング認識手段がオンとなることはない。
【００３４】
この後、プランジャー４に加えていた押し下げ力を除くと、ドームバネ６は元の形状に復元し、凸部４ｃに加わるドームバネ６の弾性復元力及び外バネ５の可動接点部５ａと５ｈと５ｅとの弾性復元力とによって、プランジャー４は押し上げられて、可動接点部５ａと５ｈと５ｅとの下面が外周接点１３ｐと１３ｗと１３ｒとから離れ、半スルーホール１３ａと１３ｈと１３ｃとの端子電極の間がオフ状態になると共に、プランジャー４が垂直中立状態である通常状態に戻る。
【００３５】
そして、プランジャー４に対して同様に、任意の外周接点の位置を押し下げると、それぞれの方向にプランジャー４が傾倒して対応する外周接点がオン状態となり、それに応じた導出用の端子電極に導通する半スルーホール１３ａ、１３ｅ間、１３ｃ、１３ｇ間、１３ｅ、１３ｂ間、１３ｇ、１３ｄ間、１３ｂ、１３ｆ間、１３ｄ、１３ｈ間、１３ｆ、１３ａ間を導通させることができる。そして、このようにして周辺スイッチ接点間が導通して伝達される信号を、外部導出用の端子間に接続されたスイッチング認識手段で読みとって判別することより、軸部４ａが上記隣接する任意の周辺スイッチ接点の方向に傾倒させられたことを認識できるものである。
【００３６】
次に、プランジャー４の中央上面すなわち軸部４ａに下方に向かう垂直な押圧力を加えると、プランジャー４は垂直下方に移動し、それに伴って凸部４ｃがドームバネ６を押圧・反転させて節度を生じると同時にドームバネ６の中央頂点部６ａの下面と中央接点１３ｍが接触し、中央接点１３ｍと環状接点１３ｎとはドームバネ６を介して導通し、中央接点１３ｍから導出された半スルーホール１３ｊの外部導出用の端子電極と環状接点１３ｎから導出された半スルーホール１３ｋの外部導出用の端子電極とが導通状態となる。
【００３７】
このとき、フランジ部４ｂの下面外周部は外バネ５の全ての外周接点５ａ、５ｂ、５ｃ、５ｃ、５ｄ、５ｅ、５ｆ、５ｇ、５ｈを押し下げる位置関係にないために、外周接点同士が導通することはない。そして、プランジャー４への押し下げ力を除くと、ドームバネ６は元の形状に復元し、その復元力によってプランジャー４は押し上げられて通常状態に戻る。
【００３８】
本実施の形態の効果について説明する。本実施の形態である八方向スイッチ２０は第一の実施の形態の四方向スイッチ１０と共通部品を用いており、異なるのはＰＣＢ一部品のみであるから、四方向スイッチ１０と八方向スイッチ２０との製造管理が容易となる。その他の効果は第一の実施の形態の効果と同様である。
【００３９】
【発明の効果】
以上説明したように、本発明によれば、ケース体は下方開口を有し、この下方開口を塞ぐように枠体を介してプリント配線基板を接合して成り、このプリント配線基板上面に中央接点、外側接点、外周接点を配設すると共に、隣り合う前記各外周接点同士を導通させるための可動接点部を備えた弾性金属薄板から成る外周導通板バネを配設し、この外周導通板バネと円形ドーム状可動接点とを覆うカバーシートを前記枠体の上面に接合したので、操作体を接点部と絶縁して前記カバーシート上に配設し、接点部を全てカバーシート下に配設して接点部をカバーシートで覆うことができて、接点部への塵埃の侵入を防止して信頼性の高い多方向操作スイッチが得られた。
【００４０】
また、ＰＣＢの側面に各外周接点と導通する半スルーホールを形成したので、これと導通する外部接続端子を下面に設けることができて、携帯機器等に好適な表面実装型の多方向スイッチが得られた。
【００４１】
また、外周導通板バネに可動接点部を等距離・等間隔に八カ所設けたので、ＰＣＢを変更するだけで四方向スイッチと八方向スイッチとが得られた。
【００４２】
また、前記上方開口及び下方開口が八角形のケースに、前記開口と相似形に形成された操作体のフランジ部を収容したので、四方向と八方向の多方向操作スイッチのケース体と操作体とを共通化することができた。
【図面の簡単な説明】
【図１】本発明の第一の実施の形態である四方向スイッチの斜視図である。
【図２】本発明の第一の実施の形態である四方向スイッチの縦断面図である。
【図３】図２のＡ−Ａから下を見た四方向スイッチの平面図である。
【図４】図３のＢ−Ｂ断面を示す断面図である。
【図５】本発明の第一の実施の形態である四方向スイッチのＰＣＢの上面図である。
【図６】本発明の第一の実施の形態である四方向スイッチのＰＣＢの下面図である。
【図７】本発明の第二の実施の形態である八方向スイッチの斜視図である。
【図８】本発明の第二の実施の形態である八方向スイッチのＰＣＢの上面図である。
【図９】本発明の第二の実施の形態である八方向スイッチのＰＣＢの下面図である。
【符号の説明】
１  モールド枠
１ａ  上方開口
１ｂ  下方開口
２  ベースシート
３、１３  プリント配線基板
３ａ、３ｂ、３ｃ、３ｄ、３ｐ、３ｑ、１３ａ、１３ｂ、１３ｃ、１３ｄ、１３ｅ、１３ｆ、１３ｇ、１３ｈ、１３ｊ、１３ｋ  半スルーホール
３ｐ、３ｑ、３ｒ、３ｓ、１３ｐ、１３ｑ、１３ｒ、１３ｓ、１３ｔ、１３ｕ、１３ｖ、１３ｗ  外周接点
３ｒ、１３ｍ  中央接点
３ｓ、１３ｎ  環状接点
４  プランジャー
４ａ  軸部
４ｂ  フランジ部
４ｃ  凸部
５  外バネ
５ａ、５ｂ、５ｃ、５ｄ、５ｅ、５ｆ、５ｇ、５ｈ  可動接点部
６  ドームバネ
６ａ  中央頂点部
８  カバーシート
【図１】
2004207026.tif 000003
【図２】
2004207026.tif 000004
【図３】
2004207026.tif 000005
【図４】
2004207026.tif 000006
【図５】
2004207026.tif 000007
【図６】
2004207026.tif 000008
【図７】
2004207026.tif 000009
【図８】
2004207026.tif 000010
【図９】
2004207026.tif 000011